(57)【要約】【課題】  紙幣搬送手段の故障によっても、遊技媒体の新規購入が可能となる紙幣識別装置を提供する。【解決手段】  紙幣識別装置１において、装置本体内部に紙幣３を収容できる紙幣収容部１６を設け、紙幣識別部１０から紙幣排出口１５へと向かう紙幣通路１３上に揺動自在に設けられ、紙幣識別部１０から送り出された紙幣３の進路を紙幣排出口１５又は紙幣収容部１６のいずれかに切り替える通路切替手段１４を設けた。【選択図】図１
2006179012.tif 000002
【特許請求の範囲】
【発明の詳細な説明】
【技術分野】
【０００１】  本発明は、挿入された紙幣が真券であるか、偽券であるかの真偽を識別する紙幣識別装置に関するものであり、特に紙幣識別装置に挿入された紙幣を紙幣搬送手段の搬送レールによって紙幣主金庫へ搬送する紙幣搬送システムに用いられる紙幣識別装置に関する。
【背景技術】
【０００２】  パチンコ台、スロット台等を壁面、又は島状に複数設置した遊技場では、これらの遊技台に使用される玉又はメダル（遊技媒体）を、遊技台同士の間に設けた遊技媒体貸出機（所謂サンド）から購入可能としている。このサンドには紙幣識別装置が内蔵され、紙幣識別装置は紙幣挿入口から挿入された紙幣が真券であるか否かを識別する。挿入紙幣が真券であれば、紙幣識別装置からの信号を受けて遊技媒体貸出機が作動され、サンドに設けられた遊技媒体排出口から所定数の遊技媒体が貸し出しされる。【０００３】  紙幣識別装置によって真券であると識別された紙幣は、紙幣識別装置に設けられた紙幣排出口から排出される。紙幣識別装置の紙幣排出口には紙幣搬送手段が接続され、紙幣搬送手段は紙幣排出口から排出された紙幣を、搬送レールによって紙幣用主金庫へ搬送する。従って、複数の紙幣識別装置から排出された全ての紙幣は、紙幣搬送手段によって紙幣用主金庫に収集される。
【発明の開示】
【発明が解決しようとする課題】
【０００４】  しかしながら、上記の紙幣搬送システムでは、紙幣の搬送手段の例えば搬送レールが、ベルト切れ等の故障によって、停止すると、紙幣挿入口から挿入された紙幣が紙幣搬送手段の受渡し部分で詰まるため、紙幣搬送手段の停止と共に、紙幣挿入口からの紙幣挿入が拒否されるように連動制御されていた。このため、紙幣搬送手段が故障すれば、遊技媒体の新規購入が不能となり、遊技者に対するサービスの低下を招くことになった。本発明は上記状況に鑑みてなされたもので、紙幣搬送手段の故障によっても停止せずに、遊技媒体の新規購入が可能となる紙幣識別装置を提供し、遊技者へのサービス向上を図ることを目的とする。
【課題を解決するための手段】
【０００５】  上記問題を解決するための本発明に係る紙幣識別装置は、装置本体内部に設けられ紙幣の収容を可能にした紙幣収容部と、本体紙幣挿入口から挿入された紙幣の真偽を識別する紙幣識別部と前記装置本体に設けられた紙幣排出口とを結ぶ紙幣通路上に揺動自在に設けられ前記紙幣識別部から送り出された紙幣の進路を、前記紙幣排出口又は前記紙幣収容部のいずれかに切り替える通路切替手段とを具備したことを特徴とする。【０００６】  この紙幣識別装置では、装置本体内部に紙幣収容部が設けられ、紙幣識別部から送り出された紙幣の進路を、手動操作によって紙幣排出口又は紙幣収容部のいずれかに切り替える通路切替手段が紙幣通路に設けられている。搬送レールが故障によって紙幣搬送不能になった場合、紙幣識別部から送り出される紙幣の進路が通路切替手段によって紙幣収容部へ切り替えられることで、紙幣が紙幣収容部へ収容可能になる。従って、従来では、搬送レールが停止した場合、紙幣詰まりを回避する目的で紙幣識別装置が同時に停止され、遊技媒体の新規購入が不能になったが、本発明では、紙幣識別部から送り出された紙幣が紙幣収容部へ収容されるため、搬送レールの故障によっても紙幣識別装置を停止させる必要がなくなり、遊技媒体の新規購入が常に可能になる。【０００７】  請求項２記載の紙幣識別装置は、前記通路切替手段が、前記搬送レールの停止信号を受けて、紙幣の進路を前記紙幣収容部へ切り替えることを特徴とする。【０００８】  この紙幣識別装置は、搬送レールが停止すると、異常検出センサ等によりこの停止状態が検出され、この停止信号を受けて通路切替手段が作動され、紙幣識別部から送り出された紙幣の進路が紙幣収容部となるように、通路切替手段が自動に切り替えられる。これにより、搬送レールの停止時に、手動による通路切替手段の切り替えが不要になる。また、手動による通路切替手段の切り替え機構をなくすことで、通路切替手段の不正な操作による紙幣の獲得も防止される。
【発明の効果】
【０００９】  以上詳細に説明したように、本発明に係る紙幣識別装置によれば、装置本体内部に紙幣収容部を設け、紙幣識別部より送り出される紙幣の進路を紙幣排出口又は紙幣収容部のいずれかに切り替える通路切替手段を設けたので、搬送レールが故障によって紙幣搬送不能になった場合、紙幣識別部より送り出された紙幣の進路が通路切替手段によって紙幣収容部へ切り替えられることで、紙幣がこの紙幣収容部へと収容され、搬送レールの故障によっても、紙幣識別装置を停止せずに、遊戯媒体の新規購入を可能にして、ユーザーへのサービス低下を防止することができる。
【発明を実施するための最良の形態】
【００１０】  以下、本発明に係る紙幣識別装置の好適な実施の形態を図面を参照して詳細に説明する。図１は本発明に係る紙幣識別装置の要部構成図、図２は図１に示した紙幣識別装置を含む紙幣搬送システムの要部構成図である。【００１１】  まず、本発明に係る紙幣識別装置１について説明する。紙幣識別装置１は、大別して、紙幣挿入口２、紙幣搬送部５、紙幣識別部１０、通路切替手段１３、紙幣排出口１５そして紙幣収容部１６から成っている。【００１２】  紙幣挿入口２は外部からの紙幣挿入を受け付ける部分であり、紙幣識別装置１がサンドに内蔵されている場合には、遊技台間に設置されるサンドの正面に設けられる。或はまた、遊技台及びサンドの上方である幕板部に、紙幣挿入口２を下側に向けた状態で設置されるものであってもよい（図４参照）。この場合、紙幣３は下側から上に向かって挿入されることになる。紙幣挿入口２内部には、起動スイッチ４が設けられており、挿入された紙幣３が起動スイッチ４を押し込むと、モータ２１が回転し、紙幣搬送部５が作動する。【００１３】  紙幣搬送部５は、モータ２１によって駆動される駆動ローラ６と、前記駆動ローラ６と従動ローラ７との間に張架された無端ベルト８から成り、前記無端ベルト８と、前記無端ベルト８に向かい合うようにして設けられた従動ローラ９とで紙幣３の表裏を挟み、無端ベルト８の回動によって紙幣識別装置１内部で紙幣３を移動させる働きを持っている。挿入された紙幣３は、紙幣搬送部５によって紙幣識別部１０へ搬送される。【００１４】  紙幣識別部１０は、挿入された紙幣３の真偽を識別する部分であり、光センサ１１と磁気センサ１２とから成っている。紙幣識別部１０に搬送された紙幣３は、前記二つのセンサによって、その真偽が識別され、偽券であると識別された場合には、モータ２１が逆回転し、該紙幣３を紙幣挿入口２から外へと押し戻す。その際、モータ２１は、該紙幣３の先端が無端ベルト８と従動ローラ９との間から完全に開放される直前で回転を止める。これは、該紙幣識別装置１が図４に示すように設置された場合を考慮に入れた上で、受入れを拒否された紙幣３が紙幣挿入口２から落下する事を防ぐためである。【００１５】  紙幣識別部１０から無端ベルト８に沿って、紙幣排出口１５へと向かう紙幣通路１３には、通路切替手段として、櫛状構造を持つ切替プレート１４が設けられており、紙幣通路１３を横断する揺動が可能で、紙幣識別部１０において真券であると識別され、送り出された紙幣３の進路を、紙幣排出口１５又は紙幣収容部１６のいずれかに切り替えることができる。
通常、切替プレート１４は、紙幣識別部１０から送り出された紙幣３の進路が紙幣排出口１５側となる位置に設定されている。紙幣排出口１５より排出された紙幣３は、紙幣排出口１５に接続された紙幣搬送手段２２へと引渡される。【００１６】  切替プレート１４が紙幣収容部１６側へ切り替えられると、紙幣識別部１０から送り出された紙幣３は、無端ベルト８によって、駆動ローラ６の外周沿いに折り返し、紙幣収容部１６に収容される。紙幣収容部１６入口には、紙幣カウンタ１７と従動ローラ１８と羽根車１９が設けられている。従動ローラ１８と無端ベルト８に表裏を挟まれ、紙幣収容部１６に引き込まれた紙幣３は紙幣カウンタ１７によって枚数をカウントされる。羽根車１９は無端ベルト８によって駆動され、収容される紙幣３を一方向に押し並べる働きを持っている。新たに挿入された紙幣３が偽券と識別され、モータ２１が逆回転して該紙幣３を紙幣挿入口２から外へと押し戻す際に、無端ベルト８の動きと連動して、紙幣収容部１６内に収容された紙幣３を逆流させる事のないように、前記羽根車１９の回転軸は一方向にのみ回転するような機構（ワンウェイクラッチ）が仕込まれている。また、羽根車１９の羽根部分に紙幣３の先端が巻き込まれる事のないように、遊動ローラ２０が設けられ、紙幣収容部１６に送り込まれてきた紙幣３の先端を羽根車１９の羽根から遠ざける働きをしている。【００１７】  次に、本発明に係る紙幣識別装置１を含む紙幣搬送システムについて、図２ないし図４にもとづき説明する。パチンコ台、スロット台等の遊技台３１を壁面、又は島状に複数設置した遊技場では、これらの遊技台３１に使用される遊技媒体を、遊技台同士の間に設けたサンド３２から購入可能としている。このサンド３２には紙幣識別装置１が内蔵され、紙幣識別装置１は紙幣挿入口２から挿入された紙幣３が真券であるか否かを識別する機能を有している。紙幣識別装置１は、サンド３２に内蔵される他、図４に示すように遊技台３２上部を覆う幕板３４に設置されるものであってもよい。【００１８】  紙幣識別装置１の紙幣挿入口２と反対側の面には紙幣排出口１５が設けられ、紙幣排出口１５からは紙幣識別部１０によって真券と識別された紙幣３が排出されるようになっている。なお、挿入紙幣が真券である場合には、紙幣識別装置１からの信号を受けて遊技媒体貸出機３２が作動され、該遊技媒体貸出機３２に設けられた遊技媒体排出口から所定数の遊技媒体が貸し出される。【００１９】  紙幣識別装置１の紙幣排出口１５には紙幣搬送手段２２が接続されている。紙幣搬送手段２２は、紙幣導入路２３と、搬送レール２４とを有する。紙幣導入路２３は、紙幣排出口１５に接続され、紙幣排出口１５から排出された紙幣３を表裏から挟んで、この紙幣３の排出方向の移動をガイドする。この紙幣導入路２３は、紙幣３の通る間隙２３ａを隔てて平行に設置された一対のガイド板等により構成することができる。【００２０】  搬送レール２４には上部無端ベルト２５と、下部無端ベルト２６が設けられている。上部無端ベルト２５は、所定距離ごとに駆動ローラ２７の外周に張架される。また、下部無端ベルト２６は、駆動ローラ２８と従動ローラ２９とに両端が張架され、複数組��のものが上部無端ベルト２５に沿って配設されている。上部無端ベルト２５と下部無端ベルト２６とは、下側ベルト２５ａと上側ベルト２６ａが接触し、接触した下側ベルト２５ａと上側ベルト２６ａとが同方向（矢印ａ方向）に移動するように回転される。【００２１】  この下側ベルト２５ａと上側ベルト２６ａとの間に紙幣搬送路３０が形成されている。紙幣３は、この下側ベルト２５ａと上側ベルト２６ａとに表裏面が挟まれて矢印ａ方向へ搬送される。搬送方向に並設された下部無端ベルト２６同士の間には、上記の紙幣導入路２３の終端２３ｂが配置されている。つまり、紙幣排出口１５から排出された紙幣３は、紙幣導入路２３を介して搬送レール２４に導入される。搬送レール２４によって搬出された紙幣３は、紙幣搬出手段２２の終端に設けられた紙幣用主金庫３３へ収集されるようになっている。【００２２】  紙幣識別装置１には紙幣収容部１６が設けられ、内部に紙幣３の収容が可能となっている。紙幣識別部１０と紙幣排出口１５とを結ぶ紙幣通路１３には通路切替手段１４が設けられ、通路切替手段１４は先端が紙幣通路１３を横断するように揺動され、紙幣識別部１０から送り出された紙幣３の進路を、手動または自動的に紙幣排出口１５又は紙幣収容部１６のいずれかに切り替えできるようになっている。以下、自動的に切り替えられるものとして説明を続ける。【００２３】  通路切替手段１４は、搬送レール２４が停止すると、同時に紙幣３の進路を紙幣収容部１６側に切り替えるように動作される。この自動切り替え動作は、例えば搬送レール２４に設けた異常検出センサと、この異常検出センサからの停止信号を受けて通路切替手段１４を揺動させるアクチュエータ（電磁プランジャ等）とにより構成することができる。【００２４】  以上のように構成された紙幣搬送システムの作用を説明する。紙幣搬送手段２２が正常運転されている場合、紙幣識別装置１から排出された紙幣３は、紙幣導入路２３を介して搬送レール２４に送られ、この搬送レール２４を介して紙幣用主金庫３３へ収集される。【００２５】  一方、紙幣搬送手段２２に故障が発生すると、通路切替手段１４が揺動され、紙幣通路１３の進路が紙幣収容部１６側へ切り替えられ、紙幣識別部１０から送り出された紙幣３が紙幣収容部１６へ収容される。【００２６】  従って、従来では、搬送レール２４が停止した場合には、紙幣詰まりを回避する目的で紙幣識別装置１が同時に停止され、遊技媒体の新規購入が不能になったが、本実施の形態による紙幣識別機１では、紙幣識別部１０から送り出された紙幣３が紙幣収容部１６へ収容されるため、搬送レール２４に故障が発生しても紙幣識別装置１を停止させる必要がなくなり、遊技媒体の新規購入が常に可能になる。【００２７】  また、搬送レール２４が停止すると、異常検出センサ等によりこの停止状態が検出され、この停止信号を受けて通路切替手段１４のアクチェータが作動され、紙幣識別部１０から送り出された紙幣３の進路が紙幣収容部１６側となるように、通路切替手段１４が自動に切り替えられる。これにより、搬送レール２４の停止時に、手動による通路切替手段１４の切り替え機構をなくすことで、通路切替手段１４の不正な操作による紙幣の獲得も防止される。
【図面の簡単な説明】
【００２８】
【図１】本発明に係る紙幣識別装置の要部構成図である。
【図２】図１に示した紙幣識別装置を含む紙幣搬送システムの要部構成図である。
【図３】図１に示した通路切替手段の切替状態を示す動作説明図である。
【図４】本発明の実施に係る紙幣搬送システムを含む遊技機島の一部を示す正面図である。
【符号の説明】
【００２９】１・・・紙幣識別装置、２・・・紙幣挿入口、３・・・紙幣、４・・・起動スイッチ、５・・・紙幣搬送部、６・・・駆動ローラ、７・・・従動ローラ、８・・・無端ベルト、９・・・従動ローラ、１０・・・紙幣識別部、１１・・・光センサ、１２・・・磁気センサ、１３・・・紙幣通路、１４・・・通路切替手段（切替プレート）、１５・・・紙幣排出口、１６・・・紙幣収容部、１７・・・紙幣カウンタ、１８・・・従動ローラ、１９・・・羽根車、２０・・・遊動ローラ、２１・・・モータ、２２・・・紙幣搬送手段、２３・・・紙幣導入路、２４・・・搬送レール、２５・・・上部無端ベルト、２６・・・下部無端ベルト、２７・２８・・・駆動ローラ、２９・・・従動ローラ、３０・・・紙幣搬送路、３１・・・遊技台、３２・・・遊技媒体貸出機（サンド）、３３・・・紙幣用主金庫、３４・・・幕板
【図１】
2006179012.tif 000003
【図２】
2006179012.tif 000004
【図３】
2006179012.tif 000005
【図４】
2006179012.tif 000006
【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
紙幣挿入口に挿入された紙幣の真偽を装置本体内部の紙幣識別部において識別し、真券のみを前記装置本体に設けられた紙幣排出口から排出する紙幣識別装置と、前記紙幣排出口に接続され該紙幣排出口から排出された紙幣を表裏から挟んで該紙幣の排出方向の移動をガイドする紙幣導入路を有し該紙幣導入路の終端から送り出された紙幣を搬送レールによって紙幣主金庫へ搬送する紙幣搬送手段とから成る紙幣搬送システムに用いられる紙幣識別装置であって、前記装置本体内部に設けられ紙幣の収容を可能にした紙幣収容部と、前記紙幣識別部から前記紙幣排出口へと向かう紙幣通路に揺動自在に設けられ前記紙幣識別部から送り出された紙幣の進路を、前記紙幣排出口又は前記紙幣収容部のいずれかに切り替える通路切替手段とを具備し、前記紙幣収容部に紙幣が向かう方向に進路が切り替わったときに、一方向にのみ回転して該紙幣を前記紙幣収容部に一方向に押し並べるべく作動する羽根車が配設されていることを特徴とする紙幣識別装置。
【請求項２】
前記羽根車の羽根部近傍に、前記紙幣収納部に送り込まれてきた紙幣の先端を前記羽根車の羽根から遠ざける遊動ローラを備えたことを特徴とする請求項１に記載の紙幣識別装置。
【請求項３】
前記通路切替手段が、前記搬送レールの停止信号を受けて紙幣の進路を前記紙幣収容部へ切り替えることを特徴とする請求項１または請求項２に記載の紙幣識別装置。
【手続補正２】
【補正対象書類名】明細書
【補正対象項目名】全文
【補正方法】変更
【補正の内容】
【発明の詳細な説明】
【技術分野】
【０００１】  本発明は、挿入された紙幣が真券であるか、偽券であるかの真偽を識別する紙幣識別装置に関するものであり、特に紙幣識別装置に挿入された紙幣を紙幣搬送手段の搬送レールによって紙幣主金庫へ搬送する紙幣搬送システムに用いられる紙幣識別装置に関する。
【背景技術】
【０００２】  パチンコ台、スロット台等を壁面、又は島状に複数設置した遊技場では、これらの遊技台に使用される玉又はメダル（遊技媒体）を、遊技台同士の間に設けた遊技媒体貸出機（所謂サンド）から購入可能としている。このサンドには紙幣識別装置が内蔵され、紙幣識別装置は紙幣挿入口から挿入された紙幣が真券であるか否かを識別する。挿入紙幣が真券であれば、紙幣識別装置からの信号を受けて遊技媒体貸出機が作動され、サンドに設けられた遊技媒体排出口から所定数の遊技媒体が貸し出しされる。【０００３】  紙幣識別装置によって真券であると識別された紙幣は、紙幣識別装置に設けられた紙幣排出口から排出される。紙幣識別装置の紙幣排出口には紙幣搬送手段が接続され、紙幣搬送手段は紙幣排出口から排出された紙幣を、搬送レールによって紙幣用主金庫へ搬送する。従って、複数の紙幣識別装置から排出された全ての紙幣は、紙幣搬送手段によって紙幣用主金庫に収集される。
【発明の開示】
【発明が解決しようとする課題】
【０００４】  しかしながら、上記の紙幣搬送システムでは、紙幣の搬送手段の例えば搬送レールが、ベルト切れ等の故障によって、停止すると、紙幣挿入口から挿入された紙幣が紙幣搬送手段の受渡し部分で詰まるため、紙幣搬送手段の停止と共に、紙幣挿入口からの紙幣挿入が拒否されるように連動制御されていた。このため、紙幣搬送手段が故障すれば、遊技媒体の新規購入が不能となり、遊技者に対するサービスの低下を招くことになった。本発明は上記状況に鑑みてなされたもので、紙幣搬送手段の故障によっても停止せずに、遊技媒体の新規購入が可能となる紙幣識別装置を提供し、遊技者へのサービス向上を図ることを目的とする。
【課題を解決するための手段】
【０００５】  上記問題を解決するための本発明に係る紙幣識別装置は、装置本体内部に設けられ紙幣の収容を可能にした紙幣収容部と、本体紙幣挿入口から挿入された紙幣の真偽を識別する紙幣識別部と前記装置本体に設けられた紙幣排出口とを結ぶ紙幣通路上に揺動自在に設けられ前記紙幣識別部から送り出された紙幣の進路を、前記紙幣排出口又は前記紙幣収容部のいずれかに切り替える通路切替手段とを具備するとともに、前記紙幣収容部に紙幣が向かう方向に進路が切り替わったときに、一方向にのみ回転して該紙幣を前記紙幣収容部に一方向に押し並べるべく作動する羽根車が配設されていることを特徴とする。【０００６】  この紙幣識別装置では、装置本体内部に紙幣収容部が設けられ、紙幣識別部から送り出された紙幣の進路を、手動操作によって紙幣排出口又は紙幣収容部のいずれかに切り替える通路切替手段が紙幣通路に設けられている。搬送レールが故障によって紙幣搬送不能になった場合、紙幣識別部から送り出される紙幣の進路が通路切替手段によって紙幣収容部へ切り替えられることで、紙幣が紙幣収容部へ収容可能になる。従って、従来では、搬送レールが停止した場合、紙幣詰まりを回避する目的で紙幣識別装置が同時に停止され、遊技媒体の新規購入が不能になったが、本発明では、紙幣識別部から送り出された紙幣が紙幣収容部へ収容されるため、搬送レールの故障によっても紙幣識別装置を停止させる必要がなくなり、遊技媒体の新規購入が常に可能になる。羽根車は、紙幣収容部内に収容された紙幣の逆流を防止するものである。【０００７】  請求項２記載の紙幣識別装置は、前記羽根車の羽根部近傍に、前記紙幣収納部に送り込まれてきた紙幣の先端を前記羽根車の羽根から遠ざける遊動ローラを備えたことを特徴とする。【０００８】この遊動ローラは、紙幣収納部に送り込まれてきた紙幣の先端を羽根車の羽根から遠ざけることによって、羽根車の羽根部分に紙幣の先端が巻き込まれる事のないようにする働きを有する。【０００９】請求項３記載の紙幣識別装置は、前記通路切替手段が、前記搬送レールの停止信号を受けて紙幣の進路を前記紙幣収容部へ切り替えることを特徴とする。【００１０】  この紙幣識別装置は、搬送レールが停止すると、異常検出センサ等によりこの停止状態が検出され、この停止信号を受けて通路切替手段が作動され、紙幣識別部から送り出された紙幣の進路が紙幣収容部となるように、通路切替手段が自動に切り替えられる。これにより、搬送レールの停止時に、手動による通路切替手段の切り替えが不要になる。また、手動による通路切替手段の切り替え機構をなくすことで、通路切替手段の不正な操作による紙幣の獲得も防止される。
【発明の効果】
【００１１】  以上詳細に説明したように、本発明に係る紙幣識別装置によれば、装置本体内部に紙幣収容部を設け、紙幣識別部より送り出される紙幣の進路を紙幣排出口又は紙幣収容部のいずれかに切り替える通路切替手段を設けたので、搬送レールが故障によって紙幣搬送不能になった場合、紙幣識別部より送り出された紙幣の進路が通路切替手段によって紙幣収容部へ切り替えられることで、紙幣がこの紙幣収容部へと収容され、搬送レールの故障によっても、紙幣識別装置を停止せずに、遊戯媒体の新規購入を可能にして、ユーザーへのサービス低下を防止することができる。
【発明を実施するための最良の形態】
【００１２】  以下、本発明に係る紙幣識別装置の好適な実施の形態を図面を参照して詳細に説明する。図１は本発明に係る紙幣識別装置の要部構成図、図２は図１に示した紙幣識別装置を含む紙幣搬送システムの要部構成図である。【００１３】  まず、本発明に係る紙幣識別装置１について説明する。紙幣識別装置１は、大別して、紙幣挿入口２、紙幣搬送部５、紙幣識別部１０、通路切替手段１３、紙幣排出口１５そして紙幣収容部１６から成っている。【００１４】  紙幣挿入口２は外部からの紙幣挿入を受け付ける部分であり、紙幣識別装置１がサンドに内蔵されている場合には、遊技台間に設置されるサンドの正面に設けられる。或はまた、遊技台及びサンドの上方である幕板部に、紙幣挿入口２を下側に向けた状態で設置されるものであってもよい（図４参照）。この場合、紙幣３は下側から上に向かって挿入されることになる。紙幣挿入口２内部には、起動スイッチ４が設けられており、挿入された紙幣３が起動スイッチ４を押し込むと、モータ２１が回転し、紙幣搬送部５が作動する。【００１５】  紙幣搬送部５は、モータ２１によって駆動される駆動ローラ６と、前記駆動ローラ６と従動ローラ７との間に張架された無端ベルト８から成り、前記無端ベルト８と、前記無端ベルト８に向かい合うようにして設けられた従動ローラ９とで紙幣３の表裏を挟み、無端ベルト８の回動によって紙幣識別装置１内部で紙幣３を移動させる働きを持っている。挿入された紙幣３は、紙幣搬送部５によって紙幣識別部１０へ搬送される。【００１６】  紙幣識別部１０は、挿入された紙幣３の真偽を識別する部分であり、光センサ１１と磁気センサ１２とから成っている。紙幣識別部１０に搬送された紙幣３は、前記二つのセンサによって、その真偽が識別され、偽券であると識別された場合には、モータ２１が逆回転し、該紙幣３を紙幣挿入口２から外へと押し戻す。その際、モータ２１は、該紙幣３の先端が無端ベルト８と従動ローラ９との間から完全に開放される直前で回転を止める。これは、該紙幣識別装置１が図４に示すように設置された場合を考慮に入れた上で、受入れを拒否された紙幣３が紙幣挿入口２から落下する事を防ぐためである。【００１７】  紙幣識別部１０から無端ベルト８に沿って、紙幣排出口１５へと向かう紙幣通路１３には、通路切替手段として、櫛状構造を持つ切替プレート１４が設けられており、紙幣通路１３を横断する揺動が可能で、紙幣識別部１０において真券であると識別され、送り出された紙幣３の進路を、紙幣排出口１５又は紙幣収容部１６のいずれかに切り替えることができる。【００１８】  通常、切替プレート１４は、紙幣識別部１０から送り出された紙幣３の進路が紙幣排出口１５側となる位置に設定されている。紙幣排出口１５より排出された紙幣３は、紙幣排出口１５に接続された紙幣搬送手段２２へと引渡される。【００１９】  切替プレート１４が紙幣収容部１６側へ切り替えられると、紙幣識別部１０から送り出された紙幣３は、無端ベルト８によって、駆動ローラ６の外周沿いに折り返し、紙幣収容部１６に収容される。紙幣収容部１６入口には、紙幣カウンタ１７と従動ローラ１８と羽根車１９が設けられている。従動ローラ１８と無端ベルト８に表裏��挟まれ、紙幣収容部１６に引き込まれた紙幣３は紙幣カウンタ１７によって枚数をカウントされる。羽根車１９は無端ベルト８によって駆動され、収容される紙幣３を一方向に押し並べる働きを持っている。新たに挿入された紙幣３が偽券と識別され、モータ２１が逆回転して該紙幣３を紙幣挿入口２から外へと押し戻す際に、無端ベルト８の動きと連動して、紙幣収容部１６内に収容された紙幣３を逆流させる事のないように、前記羽根車１９の回転軸は一方向にのみ回転するような機構（ワンウェイクラッチ）が仕込まれている。また、羽根車１９の羽根部分に紙幣３の先端が巻き込まれる事のないように、遊動ローラ２０が設けられ、紙幣収容部１６に送り込まれてきた紙幣３の先端を羽根車１９の羽根から遠ざける働きをしている。【００２０】  次に、本発明に係る紙幣識別装置１を含む紙幣搬送システムについて、図２ないし図４にもとづき説明する。パチンコ台、スロット台等の遊技台３１を壁面、又は島状に複数設置した遊技場では、これらの遊技台３１に使用される遊技媒体を、遊技台同士の間に設けたサンド３２から購入可能としている。このサンド３２には紙幣識別装置１が内蔵され、紙幣識別装置１は紙幣挿入口２から挿入された紙幣３が真券であるか否かを識別する機能を有している。紙幣識別装置１は、サンド３２に内蔵される他、図４に示すように遊技台３２上部を覆う幕板３４に設置されるものであってもよい。【００２１】  紙幣識別装置１の紙幣挿入口２と反対側の面には紙幣排出口１５が設けられ、紙幣排出口１５からは紙幣識別部１０によって真券と識別された紙幣３が排出されるようになっている。なお、挿入紙幣が真券である場合には、紙幣識別装置１からの信号を受けて遊技媒体貸出機３２が作動され、該遊技媒体貸出機３２に設けられた遊技媒体排出口から所定数の遊技媒体が貸し出される。【００２２】  紙幣識別装置１の紙幣排出口１５には紙幣搬送手段２２が接続されている。紙幣搬送手段２２は、紙幣導入路２３と、搬送レール２４とを有する。紙幣導入路２３は、紙幣排出口１５に接続され、紙幣排出口１５から排出された紙幣３を表裏から挟んで、この紙幣３の排出方向の移動をガイドする。この紙幣導入路２３は、紙幣３の通る間隙２３ａを隔てて平行に設置された一対のガイド板等により構成することができる。【００２３】  搬送レール２４には上部無端ベルト２５と、下部無端ベルト２６が設けられている。上部無端ベルト２５は、所定距離ごとに駆動ローラ２７の外周に張架される。また、下部無端ベルト２６は、駆動ローラ２８と従動ローラ２９とに両端が張架され、複数組みのものが上部無端ベルト２５に沿って配設されている。上部無端ベルト２５と下部無端ベルト２６とは、下側ベルト２５ａと上側ベルト２６ａが接触し、接触した下側ベルト２５ａと上側ベルト２６ａとが同方向（矢印ａ方向）に移動するように回転される。【００２４】  この下側ベルト２５ａと上側ベルト２６ａとの間に紙幣搬送路３０が形成されている。紙幣３は、この下側ベルト２５ａと上側ベルト２６ａとに表裏面が挟まれて矢印ａ方向へ搬送される。搬送方向に並設された下部無端ベルト２６同士の間には、上記の紙幣導入路２３の終端２３ｂが配置されている。つま���、紙幣排出口１５から排出された紙幣３は、紙幣導入路２３を介して搬送レール２４に導入される。搬送レール２４によって搬出された紙幣３は、紙幣搬出手段２２の終端に設けられた紙幣用主金庫３３へ収集されるようになっている。【００２５】  紙幣識別装置１には紙幣収容部１６が設けられ、内部に紙幣３の収容が可能となっている。紙幣識別部１０と紙幣排出口１５とを結ぶ紙幣通路１３には通路切替手段１４が設けられ、通路切替手段１４は先端が紙幣通路１３を横断するように揺動され、紙幣識別部１０から送り出された紙幣３の進路を、手動または自動的に紙幣排出口１５又は紙幣収容部１６のいずれかに切り替えできるようになっている。以下、自動的に切り替えられるものとして説明を続ける。【００２６】  通路切替手段１４は、搬送レール２４が停止すると、同時に紙幣３の進路を紙幣収容部１６側に切り替えるように動作される。この自動切り替え動作は、例えば搬送レール２４に設けた異常検出センサと、この異常検出センサからの停止信号を受けて通路切替手段１４を揺動させるアクチュエータ（電磁プランジャ等）とにより構成することができる。【００２７】  以上のように構成された紙幣搬送システムの作用を説明する。紙幣搬送手段２２が正常運転されている場合、紙幣識別装置１から排出された紙幣３は、紙幣導入路２３を介して搬送レール２４に送られ、この搬送レール２４を介して紙幣用主金庫３３へ収集される。【００２８】  一方、紙幣搬送手段２２に故障が発生すると、通路切替手段１４が揺動され、紙幣通路１３の進路が紙幣収容部１６側へ切り替えられ、紙幣識別部１０から送り出された紙幣３が紙幣収容部１６へ収容される。【００２９】  従って、従来では、搬送レール２４が停止した場合には、紙幣詰まりを回避する目的で紙幣識別装置１が同時に停止され、遊技媒体の新規購入が不能になったが、本実施の形態による紙幣識別機１では、紙幣識別部１０から送り出された紙幣３が紙幣収容部１６へ収容されるため、搬送レール２４に故障が発生しても紙幣識別装置１を停止させる必要がなくなり、遊技媒体の新規購入が常に可能になる。【００３０】  また、搬送レール２４が停止すると、異常検出センサ等によりこの停止状態が検出され、この停止信号を受けて通路切替手段１４のアクチェータが作動され、紙幣識別部１０から送り出された紙幣３の進路が紙幣収容部１６側となるように、通路切替手段１４が自動に切り替えられる。これにより、搬送レール２４の停止時に、手動による通路切替手段１４の切り替え機構をなくすことで、通路切替手段１４の不正な操作による紙幣の獲得も防止される。
【図面の簡単な説明】
【００３１】
【図１】本発明に係る紙幣識別装置の要部構成図である。
【図２】図１に示した紙幣識別装置を含む紙幣搬送システムの要部構成図である。
【図３】図１に示した通路切替手段の切替状態を示す動作説明図である。
【図４】本発明の実施に係る紙幣搬送システムを含む遊技機島の一部を示す正面図である。
【符号の説明】
【００３２】１・・・紙幣識別装置、２・・・紙幣挿入口、３・・・紙幣、４・・・起動スイッチ、５・・・紙幣搬送部、６・・・駆動ローラ、７・・・従動ローラ、８・・・無端ベルト、９・・・従動ローラ、１０・・・紙幣識別部、１１・・・光センサ、１２・・・磁気センサ、１３・・・紙幣通路、１４・・・通路切替手段（切替プレート）、１５・・・紙幣排出口、１６・・・紙幣収容部、１７・・・紙幣カウンタ、１８・・・従動ローラ、１９・・・羽根車、２０・・・遊動ローラ、２１・・・モータ、２２・・・紙幣搬送手段、２３・・・紙幣導入路、２４・・・搬送レール、２５・・・上部無端ベルト、２６・・・下部無端ベルト、２７・２８・・・駆動ローラ、２９・・・従動ローラ、３０・・・紙幣搬送路、３１・・・遊技台、３２・・・遊技媒体貸出機（サンド）、３３・・・紙幣用主金庫、３４・・・幕板
【手続補正３】
【補正対象書類名】図面
【補正対象項目名】全図
【補正方法】変更
【補正の内容】
【図１】
2006179012.tif 000007
【図２】
2006179012.tif 000008
【図３】
2006179012.tif 000009
【図４】
2006179012.tif 000010